(57)【要約】【課題】装置の消費電力を抑制する最適な音楽データの送信又は受信を制御する。【解決手段】音楽再生システム１００は、音楽データ送信装置１によって、音楽データに関してデータサイズの異なる音楽データをそれぞれ記憶し、音楽再生装置２へ音楽データを送信する際に、音楽データ送信装置１及び音楽再生装置２のそれぞれの電池残量を示す電池残量情報を取得し、取得された電池残量情報が示す電池残量に応じて、当該音楽データを音楽再生装置２へ送信する。【選択図】図４
2020056961.tif 000002
【特許請求の範囲】
【請求項１】
音楽再生装置へ音楽データを送信する音楽データ送信装置であって、
前記音楽データに関してデータサイズの異なる音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に応じて、前記音楽データを前記音楽再生装置へ送信する送信手段と、
を備えたことを特徴とする音楽データ送信装置。
【請求項２】
前記取得手段によって取得された前記電池残量情報が示す電池残量に応じて、前記音楽データのデータサイズを決定する決定手段を備え、
前記送信手段は、前記決定手段によって決定された前記データサイズの音楽データを前記音楽再生装置へ送信する、
ことを特徴とする請求項１に記載の音楽データ送信装置。
【請求項３】
音楽再生装置へ音楽データを送信する音楽データ送信装置であって、
前記音楽データに関して同一の曲のデータサイズの異なる音楽データ、又は、異なる曲の音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に応じて、前記音楽データのデータサイズを決定する決定手段と、
前記決定手段によって決定された前記データサイズの音楽データを前記音楽再生装置へ送信する送信手段と、
を備えたことを特徴とする音楽データ送信装置。
【請求項４】
音楽データ送信装置から送信された音楽データを再生する音楽再生装置であって、
前記音楽データ送信装置から送信された情報を受信する受信手段と、
前記受信手段によって前記音楽データの再生を指示する指示情報が受信された場合、前記音楽再生装置及び／又は前記音楽データ送信装置の電池残量を示す電池残量情報を取得する取得手段と、
前記取得手段によって取得された前記電池残量情報が示す電池残量に応じて、前記音楽データの送信を要求する要求情報を前記音楽データ送信装置へ送信する送信手段と、
を備えることを特徴とする音楽再生装置。
【請求項５】
前記取得手段によって取得された前記電池残量情報が示す電池残量に応じて、前記音楽データのデータサイズを決定する決定手段を備え、
前記送信手段は、前記決定手段によって決定された前記データサイズの音楽データの前記要求情報を前記音楽データ送信装置へ送信する、
ことを特徴とする請求項４に記載の音楽再生装置。
【請求項６】
音楽データ送信装置から送信される音楽データを再生する音楽再生装置であって、
自装置が再生指示対象の音楽データを保有していない場合には、当該音楽データの送信を要求する要求情報を前記音楽データ送信装置へ送信する一方で、自装置が当該音楽データを保有している場合には、当該音楽データを送信しないようにする旨の指示情報を前記音楽データ送信装置へ送信する送信手段を備えることを特徴とする音楽再生装置。
【請求項７】
音楽再生装置へ音楽データを送信する音楽データ送信装置であって、
前記音楽再生装置による前記音楽データの保有の有無を示す保有情報を取得する第１の取得手段と、
前記第１の取得手段によって取得された前記保有情報が示す前記音楽データの保有の有無に応じて、前記音楽データの送信を制御する送信制御手段と、
を備えることを特徴とする音楽データ送信装置。
【請求項８】
前記送信制御手段は、前記第１の取得手段によって取得された前記保有情報が前記音楽データを保有していることを示す情報である場合には、前記音楽データの送信を行わない、
ことを特徴とする請求項７に記載の音楽データ送信装置。
【請求項９】
前記送信制御手段は、前記第１の取得手段によって取得された前記保有情報が前記音楽データを保有していないことを示す情報である場合には、前記音楽データの送信を行う、
ことを特徴とする請求項７に記載の音楽データ送信装置。
【請求項１０】
前記音楽データ送信装置及び／又は前記音楽再生装置の電池残量を示す電池残量情報を取得する第２の取得手段を備え、
前記送信制御手段は、前記第１の取得手段によって取得された前記保有情報が示す前記音楽データの保有の有無、及び、前記第２の取得手段によって取得された前記電池残量情報が示す電池残量に応じて、前記音楽データの送信を制御する、
ことを特徴とする請求項７〜９のいずれか一項に記載の音楽データ送信装置。
【請求項１１】
前記音楽データに関してデータサイズの異なる音楽データをそれぞれ生成及び／又は記憶する生成手段及び／又は記憶手段を更に備え、
前記第１の取得手段は、更に、前記音楽再生装置が前記音楽データを保有している場合、当該音楽データのデータサイズを示すデータサイズ情報を取得し、
前記送信制御手段は、
前記音楽データ送信装置と前記音楽再生装置のうち少なくともいずれか一方の電池残量が所定の閾値未満であり、かつ、前記音楽再生装置が前記音楽データを保有していない場合、前記生成手段及び／又は前記記憶手段によって生成及び／又は記憶された通常のデータサイズよりも小さい小容量版の音楽データを前記音楽再生装置へ送信するように制御することを特徴とする請求項１０に記載の音楽データ送信装置。
【請求項１２】
前記送信制御手段は、
前記音楽データ送信装置と前記音楽再生装置の両方の電池残量が所定の閾値以上であり、前記音楽再生装置が前記音楽データを保有しており、かつ、当該音楽データが前記小容量版の音楽データである場合、前記生成手段及び／又は前記記憶手段によって生成及び／又は記憶された前記小容量版の音楽データよりもデータサイズが大きい音楽データを前記音楽再生装置へ送信するように制御することを特徴とする請求項１１に記載の音楽データ送信装置。
【請求項１３】
前記送信制御手段は、
前記音楽データ送信装置と前記音楽再生装置の両方の電池残量が所定の閾値以上であり、かつ、前記音楽再生装置が前記音楽データを保有していない場合、前記生成手段及び／又は前記記憶手段によって生成及び／又は記憶された前記小容量版の音楽データよりもデータサイズが大きい音楽データを前記音楽再生装置へ送信するように制御することを特徴とする請求項１１又は１２に記載の音楽データ送信装置。
【請求項１４】
前記送信制御手段は、
前記音楽データ送信装置と前記音楽再生装置のうち少なくともいずれか一方の電池残量が所定の閾値未満であり、かつ、前記音楽再生装置が前記音楽データを保有している場合、前記生成手段及び／又は前記記憶手段によって生成及び／又は記憶された音楽データを前記音楽再生装置へ送信しないように制御することを特徴とする請求項１１〜１３のいずれか一項に記載の音楽データ送信装置。
【請求項１５】
前記小容量版の音楽データは、少なくとも音楽データのサンプリング周波数及び／又はビットレートを変更し音質を落とすことによってデータサイズを小さくした音楽データであることを特徴とする請求項１１〜１４のいずれか一項に記載の音楽データ送信装置。
【請求項１６】
前記保有情報及び前記電池残量情報の生成を指示する指示情報を前記音楽再生装置に対して送信する送信手段を備え、
前記第１の取得手段は、前記指示情報の送信を契機として前記音楽再生装置によって生成された前記保有情報を取得し、
前記第２の取得手段は、前記指示情報の送信を契機として前記音楽再生装置によって生成された前記電池残量情報を取得する、
ことを特徴とする請求項１０〜１５のいずれか一項に記載の音楽データ送信装置。
【請求項１７】
音楽再生装置と音楽データ送信装置とを備えた音楽再生システムであって、
前記音楽再生装置は、
音楽データを記憶可能な音楽再生装置側記憶手段と、
前記音楽再生装置側記憶手段によるユーザー所望の音楽データの記憶の有無を判別する音楽再生装置側判別手段と、
前記音楽再生装置の電池残量を計測する音楽再生装置側計測手段と、
前記音楽再生装置側判別手段による判別結果を示す判別結果情報、及び、前記音楽再生装置側計測手段による計測結果を示す計測結果情報を外部へ送信する音楽再生装置側送信手段と、
を備え、
前記音楽データ送信装置は、
前記ユーザー所望の音楽データを生成及び／又は記憶する音楽データ送信装置側生成手段及び／又は音楽データ送信装置側記憶手段と、
前記判別結果情報及び前記計測結果情報を受信する音楽データ送信装置側受信手段と、
前記音楽データ送信装置の電池残量を計測する音楽データ送信装置側計測手段と、
前記音楽データ送信装置側受信手段によって受信された前記判別結果情報が示す前記ユーザー所望の音楽データの記憶の有無、及び、前記計測結果情報が示す前記音楽再生装置の電池残量、並びに、前記音楽データ送信装置側計測手段によって計測された前記音楽データ送信装置の電池残量に応じて、前記ユーザー所望の音楽データの前記音楽再生装置への送信を制御する音楽データ送信装置側送信制御手段と、
を備えることを特徴とする音楽再生システム。
【請求項１８】
音楽再生装置へ音楽データを送信する音楽データ送信装置のコンピュータを、
前記音楽データに関してデータサイズの異なる音楽データをそれぞれ生成及び／又は記憶する生成手段及び／又は記憶手段、
前記音楽データ送信装置及び／又は前記音楽再生装置の電池残量を示す電池残量情報を取得する取得手段、
前記取得手段によって取得された前記電池残量情報が示す電池残量に応じて、前記音楽データを前記音楽再生装置へ送信する送信手段、
として機能させることを特徴とするプログラム。
【請求項１９】
音楽データ送信装置から送信された音楽データを再生する音楽再生装置のコンピュータを、
前記音楽データ送信装置から送信された情報を受信する受信手段、
前記受信手段によって前記音楽データの再生を指示する指示情報が受信された場合、前記音楽再生装置及び／又は前記音楽データ送信装置の電池残量を示す電池残量情報を取得する取得手段、
前記取得手段によって取得された前記電池残量情報が示す電池残量に応じて、前記音楽データの送信を要求する要求情報を前記音楽データ送信装置へ送信する送信手段
として機能させることを特徴とするプログラム。
【請求項２０】
音楽再生装置へ音楽データを送信する音楽データ送信装置のコンピュータを、
前記音楽再生装置による前記音楽データの保有の有無を示す保有情報を取得する取得手段、
前記取得手段によって取得された前記保有情報が示す前記音楽データの保有の有無に応じて、前記音楽データの送信を制御する送信制御手段、
として機能させることを特徴とするプログラム。
【発明の詳細な説明】
【技術分野】
【０００１】
本発明は、音楽データ送信装置、音楽再生装置、音楽再生システム及びプログラムに関する。
【背景技術】
【０００２】
従来、電池残量などから音声の出力可能時間を算出し、音声の再生時間が当該出力可能時間に達すると、音声の出力形式を電池の消費量が低い出力形式に変更する携帯端末がある（例えば、特許文献１参照）。
【先行技術文献】
【特許文献】
【０００３】
【特許文献１】特開２０１２−７０３０１号公報
【発明の概要】
【発明が解決しようとする課題】
【０００４】
しかしながら、上記特許文献１に開示されている携帯端末では、る音楽データを外部に送信することについては考慮されていないため、例えば、データ容量の大きい音楽データを送信する際に当該端末の電力を消費してしまい、当該端末のその後の稼働に影響を及ぼすおそれがあった。
【０００５】
本発明は、このような問題に鑑みてなされたものであり、装置の消費電力を抑制する最適な音楽データの送信又は受信を制御することを目的とする。
【課題を解決するための手段】
【０００６】
上記課題を解決するため、本発明に係る一態様の音楽データ送信装置は、
音楽再生装置へ音楽データを送信する音楽データ送信装置であって、
前記音楽データに関してデータサイズの異なる音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に応じて、前記音楽データを前記音楽再生装置へ送信する送信手段と、
を備えたことを特徴とする。
【０００７】
また、上記課題を解決するため、本発明に係る他の態様の音楽データ送信装置は、
音楽再生装置へ音楽データを送信する音楽データ送信装置であって、
前記音楽再生装置による前記音楽データの保有の有無を示す保有情報を取得する取得手段と、
前記取得手段によって取得された前記保有情報が示す前記音楽データの保有の有無に応じて、前記音楽データの送信を制御する送信制御手段と、
を備えることを特徴とする。
【発明の効果】
【０００８】
本発明によれば、装置の消費電力を抑制する最適な音楽データの送信又は受信を行うことができる。
【図面の簡単な説明】
【０００９】
【図１】本発明の実施の形態の音楽再生システムを示すブロック図である。
【図２】音楽データ送信装置の機能構成を示すブロック図である。
【図３】音楽再生装置の機能構成を示すブロック図である。
【図４】音楽データ送信装置により実行される実施形態１の音楽データ送信制御処理を示すフローチャートである。
【図５】音楽再生装置により実行される実施形態２の音楽データ送信制御処理を示すフローチャートである。
【図６】音楽データ送信装置により実行される実施形態３の音楽データ送信制御処理を示すフローチャートである。
【図７】音楽再生装置により実行される実施形態３の音楽データ再生処理を示すフローチャートである。
【発明を実施するための形態】
【００１０】
以下、本発明の音楽データ送信装置、音楽再生装置、音楽再生システム及びプログラムの実施の形態について、図面を参照して説明する。
【００１１】
［実施形態１］
≪音楽再生システム１００の構成≫
図１は、本実施形態の音楽再生システム１００の概略構成を示すブロック図である。
図１に示すように、本実施形態の音楽再生システム１００は、同期通信方式の無線通信（例えば、Bluetooth（登録商標）等）を行う音楽データ送信装置１と音楽再生装置２とを備えている。
【００１２】
音楽データ送信装置１は、音楽再生装置２へ音楽データを送信するとともに、音楽再生装置２に対して音楽データの再生等を指示する装置である。この音楽データ送信装置１としては、例えば、ユーザーが携帯可能な端末（例えば、リスト端末等）が挙げられる。なお、音楽データ送信装置１は、音楽再生装置２に対応する専用の装置であっても良いし、携帯電話、スマートフォン、ＰＤＡ（Personal Data Assistants）等の汎用の装置から構成されていても良い。
【００１３】
音楽再生装置２は、音楽データ送信装置１から送信された音楽データを受信するとともに、音楽データ送信装置１からの指示に従って音楽データの再生等を行う装置である。この音楽再生装置２としては、例えば、音楽データを再生する再生機能を備えたヘッドホン等が挙げられる。
【００１４】
≪通信接続≫
次に、音楽データ送信装置１と音楽再生装置２との通信接続について説明する。
本実施形態の音楽再生システム１００では、音楽データ送信装置１と音楽再生装置２との間で、例えば、予めペアリングと呼ばれる通信設定処理を行うことで、互いのデバイス情報や認証鍵のデータを無線信号により交換する。これにより、その後、通信設定処理を毎回行わなくとも、例えば、音楽データ送信装置１と音楽再生装置２とが電波が届かない範囲に離れればBluetooth規格による通信接続が解除される一方で、電波が届く範囲に近づけば自動的にBluetooth規格による通信接続がなされる。
【００１５】
≪音楽データ送信装置１の機能構成≫
次に、音楽データ送信装置１の機能構成について、図２を参照して説明する。
図２は、音楽データ送信装置１の機能構成を示すブロック図である。
【００１６】
図２に示すように、音楽データ送信装置１は、ＣＰＵ（Central Processing Unit）１１と、ＲＡＭ（Random Access Memory）１２と、記憶部１３と、操作部１４と、表示部１５と、通信部１６とを備えている。また、音楽データ送信装置１の各部は、バス１７を介して接続されている。
【００１７】
ＣＰＵ１１は、操作部１４から入力される制御信号に基づいて、記憶部１３に記憶されているシステムプログラムやアプリケーションプログラムといった各種プログラムを読み出し、ＲＡＭ１２のワークエリアに展開し、当該各種プログラムを逐次実行する。
【００１８】
ＲＡＭ１２は、例えば、揮発性のメモリであり、ＣＰＵ１１により読み出された各種プログラムやデータを一時的に格納するワークエリアを有する。
【００１９】
記憶部１３は、例えば、フラッシュメモリなどにより構成される。記憶部１３には、ＣＰＵ１１で実行される各種プログラム（システムプログラムやアプリケーションプログラム）、当該各種プログラムの実行に必要なデータ、音楽再生装置２へ送信するための音楽データ等が記憶されている。
【００２０】
記憶部１３に記憶される各音楽データに関しては、当該各音楽データと、当該各音楽データのインデックス情報（例えば、曲名、歌手名、演奏時間、データサイズ等）とが対応つけられて記憶されるようになっている。また、当該各音楽データに関しては、例えば、元の音楽データのサンプリング周波数やビットレートを変更し音質を落とすことでデータサイズを小さくした小容量版の音楽データと、データサイズを小さくする前の元の音楽データに基づき生成された通常版の音楽データとの少なくとも２つの状態の音楽データが記憶されるようになっている。なお、通常版の音楽データが歌唱有りの音楽データである場合、この通常版の音楽データのデータサイズを小さくした小容量版の音楽データには、歌唱有りの音楽データと、インストゥルメンタル（歌唱なし）の音楽データが含まれるようにしても良い。つまり、かかる場合は、データサイズの異なる音楽データには、同一の曲の異なるデータサイズの音楽データと、異なる曲の音楽データが含まれることとなる。
【００２１】
操作部１４は、例えば、音楽データ送信装置１の電源のＯＮ／ＯＦＦに係る電源ボタン、ユーザー所望の音楽データの選択に係る上下左右のカーソルボタンや決定ボタン、選択された音楽データの再生／停止を切り替える再生ボタン等を備えている。各種ボタンが操作されると、操作部１４は、操作されたボタンに応じた操作指示をＣＰＵ１１に出力する。
【００２２】
なお、操作部１４は、表示部１５と一体となって設けられたタッチパネルを有していても良く、ユーザーによるタッチパネルの所定操作に基づいて、当該所定操作に応じた操作指示をＣＰＵ１１に出力しても良い。
【００２３】
表示部１５は、例えば、ＬＣＤ（Liquid Crystal Display）や有機ＥＬディスプレイ等から構成されている。表示部１５には、ＣＰＵ１１から出力される表示信号の指示に従って、例えば、音楽データ送信装置１の電池残量表示画面や、ユーザー所望の音楽データを選択するための選択画面、音楽再生装置２による音楽データの再生等を指示するための操作画面等の各種画面が表示される。
【００２４】
通信部１６は、例えば、アンテナ、変復調回路、信号処理回路等により構成されており、Bluetooth（登録商標）の規格により通信を行う。
【００２５】
≪音楽再生装置２の機能構成≫
次に、音楽再生装置２の機能構成について、図３を参照して説明する。
図３は、音楽再生装置２の機能構成を示すブロック図である。
【００２６】
図３に示すように、音楽再生装置２は、ＣＰＵ２１と、ＲＡＭ２２と、記憶部２３と、操作部２４と、表示部２５と、通信部２６と、音声出力部２７とを備えている。また、音楽再生装置２の各部は、バス２８を介して接続されている。
【００２７】
ＣＰＵ２１は、操作部２４から入力される制御信号に基づいて、記憶部２３に記憶されているシステムプログラムやアプリケーションプログラムといった各種プログラムを読み出し、ＲＡＭ２２のワークエリアに展開し、当該各種プログラムを逐次実行する。
【００２８】
ＲＡＭ２２は、例えば、揮発性のメモリであり、ＣＰＵ２１により読み出された各種プログラムやデータを一時的に格納するワークエリアを有する。
【００２９】
記憶部２３は、例えば、フラッシュメモリなどにより構成される。記憶部２３には、ＣＰＵ２１で実行される各種プログラム（システムプログラムやアプリケーションプログラム）、当該各種プログラムの実行に必要なデータ、再生用の音楽データ及び当該音楽データのインデックス情報等が記憶される。
【００３０】
操作部２４は、例えば、音楽再生装置２の電源のＯＮ／ＯＦＦに係る電源ボタン、音楽データの再生／停止を切り替える再生ボタン、再生された音楽データの音量を調節する調節ボタン等を備えている。各種ボタンが操作されると、操作部２４は、操作されたボタンに応じた操作指示をＣＰＵ２１に出力する。
【００３１】
表示部２５は、例えば、ＬＣＤ等から構成されている。表示部２５には、ＣＰＵ２１から出力される表示信号の指示に従って、音楽再生装置２の動作状態（例えば、再生中や停止中など）や音楽再生装置２の電池残量表示画面等の各種画面が表示される。
【００３２】
通信部２６は、例えば、アンテナ、変復調回路、信号処理回路等により構成されており、Bluetooth（登録商標）の規格により通信を行う。
【００３３】
音声出力部２７は、ＤＡコンバーター、アンプ、スピーカー等により構成される。音声出力部２７は、音声出力時に音楽データをアナログ音楽データに変換してスピーカーから出力する。
【００３４】
≪音楽再生システム１００の動作≫
次に、本実施形態における音楽再生システム１００の動作について説明する。
【００３５】
＜音楽データ送信制御処理＞
図４は、音楽データ送信制御処理を示すフローチャートである。この音楽データ送信制御処理は音楽データ送信装置１によって実行される処理である。
【００３６】
図４に示すように、先ず、ユーザー操作に基づき、操作部１４を介して再生対象の音楽データを指定する操作がなされると、音楽データ送信装置１のＣＰＵ１１は、当該再生対象の音楽データを指定する（ステップＳ１）。続けて、ユーザー操作に基づき、操作部１４を介してステップＳ１で指定された音楽データの再生を指示する操作がなされると、ＣＰＵ１１は、音楽再生装置２に対して、当該音楽データの再生を指示する（ステップＳ２）。具体的には、ＣＰＵ１１は、通信部１６を介して、上記再生を指示する指示情報を音楽再生装置２へ送信する。
【００３７】
次いで、ＣＰＵ１１は、両装置（音楽データ送信装置１及び音楽再生装置２）の現在の電池残量を示す電池残量情報を取得する（ステップＳ３）。具体的には、ＣＰＵ１１は、通信部１６を介して、音楽再生装置２から当該装置の現在の電池残量情報を受信することにより、音楽再生装置２の現在の電池残量情報を取得する。ここで、音楽再生装置２は、音楽データ送信装置１より上記指示情報を受信したことを契機として、自装置の現在の電池残量を計測し電池残量情報を生成するとともに、当該電池残量情報を音楽データ送信装置１へ送信する。また、ＣＰＵ１１は、音楽再生装置２へ上記指示情報を送信した際に、自装置の現在の電池残量を計測し電池残量情報を取得する。
【００３８】
次いで、ＣＰＵ１１は、ステップＳ３で取得した電池残量情報に基づき、両装置ともに現在の電池残量が十分であるか否かを判定する（ステップＳ４）。ここで、現在の電池残量が所定の閾値以上である場合、当該電池残量が十分であると判定される一方で、現在の電池残量が所定の閾値以上でない、すなわち所定の閾値未満である場合、当該電池残量が十分でないと判定される。なお、電池残量が十分であるか否かの判定方法は上記の方法に限定されるものではない。例えば、音楽データ送信装置１と音楽再生装置２のいずれの場合も、各装置の電池容量に対する電池残量の割合を判定基準として電池残量が十分であるか否かの判定を行うようにしてもよい。具体的には、例えば、各装置の電池容量に対する電池残量の割合が８０％以上である場合、当該電池残量が十分であると判定される一方で、各装置の電池容量に対する電池残量の割合が５０％未満である場合、当該電池残量が十分でないと判定されるようにする。
【００３９】
ステップＳ４において、両装置ともに現在の電池残量が十分であると判定された場合（ステップＳ４；ＹＥＳ）、ＣＰＵ１１は、音楽再生装置２へ送信する音楽データのデータサイズを通常版のデータサイズに決定する（ステップＳ５）。
一方、ステップＳ４において、両装置ともに現在の電池残量が十分でない、すなわち少なくともいずれか一方の装置の電池残量が十分でないと判定された場合（ステップＳ４；ＮＯ）、ＣＰＵ１１は、音楽再生装置２へ送信する音楽データのデータサイズを小容量版のデータサイズに決定する（ステップＳ６）。
【００４０】
次いで、ＣＰＵ１１は、ステップＳ５又はステップＳ６で決定されたデータサイズの音楽データを記憶部１３から取得する（ステップＳ７）。続けて、ＣＰＵ１１は、通信部１６を介して、ステップＳ７で取得された音楽データを音楽再生装置２へ送信し（ステップＳ８）、音楽データ送信制御処理を終了する。これにより、音楽データ送信装置１より音楽データを受信した音楽再生装置２は当該音楽データを再生可能となる。
【００４１】
以上のように、本実施形態の音楽再生システム１００は、音楽データ送信装置１によって、音楽データに関してデータサイズの異なる音楽データをそれぞれ記憶し、音楽再生装置２へ音楽データを送信する際に、音楽データ送信装置１及び音楽再生装置２のそれぞれの電池残量を示す電池残量情報を取得し、取得された電池残量情報が示す電池残量に応じて、音楽再生装置２へ送信する音楽データのデータサイズを決定し、決定されたデータサイズの当該音楽データを音楽再生装置２へ送信したこととなる。
【００４２】
これにより、両装置ともに電池残量が十分である場合は、音楽再生装置２へ通常版の音楽データを送信する一方で、少なくともいずれか一方の装置の電池残量が十分でない場合は、音楽再生装置２へ小容量版の音楽データを送信することができる。
したがって、少なくともいずれか一方の装置の電池残量が十分でない場合は、音楽再生装置２へ小容量版の音楽データを送信することによって、当該音楽データの送受信にかかる時間を短くすることができるので、当該音楽データの送受信に電力を割くあまり各装置の稼働に影響を及ぼすといった事態を回避することができるようになる。
【００４３】
［実施形態２］
次に、実施形態２について説明する。なお、上記実施形態１と同様の構成要素には同一の符号を付し、その説明を省略する。
実施形態２の音楽再生システム１００では、音楽再生装置２が、音楽データ送信装置１と音楽再生装置２のそれぞれの電池残量情報を考慮して再生指示対象の音楽データの送信を制御する点で実施形態１と異なっている。
【００４４】
＜音楽データ送信制御処理＞
図５は、音楽データ送信制御処理を示すフローチャートである。
図５に示すように、音楽再生装置２のＣＰＵ２１は、先ず、通信部２６を介して、音楽データ送信装置１より音楽データの再生を指示する指示情報を受信したか否かを判定する（ステップＳ１１）。
【００４５】
ステップＳ１１において、指示情報を受信していないと判定された場合（ステップＳ１１；ＮＯ）、ＣＰＵ２１は、当該指示情報を受信するまでの間、ステップＳ１１の判定処理を繰り返し行う。
一方、ステップＳ１１において、指示情報を受信したと判定された場合（ステップＳ１１；ＹＥＳ）、ＣＰＵ２１は、両装置（音楽データ送信装置１及び音楽再生装置２）の現在の電池残量を示す電池残量情報を取得する（ステップＳ１２）。具体的には、ＣＰＵ２１は、通信部２６を介して、音楽データ送信装置１から当該装置の現在の電池残量情報を受信することにより、音楽データ送信装置１の現在の電池残量情報を取得する。ここで、音楽データ送信装置１は、上記指示情報の送信に伴い、自装置の現在の電池残量を計測し電池残量情報を生成するとともに、当該電池残量情報を音楽再生装置２へ送信するようになっている。また、ＣＰＵ２１は、自装置の現在の電池残量を計測することにより自装置の現在の電池残量情報を取得する。
【００４６】
次いで、ＣＰＵ２１は、両装置ともに現在の電池残量が十分であるか否かを判定する（ステップＳ１３）。ここで、現在の電池残量が所定の閾値以上である場合、当該電池残量が十分であると判定される一方で、現在の電池残量が所定の閾値以上でない、すなわち所定の閾値未満である場合、当該電池残量が十分でないと判定される。なお、電池残量が十分であるか否かの判定方法は上記の方法に限定されるものではなく、例えば、音楽データ送信装置１と音楽再生装置２のいずれの場合も、各装置の電池容量に対する電池残量の割合を判定基準として電池残量が十分であるか否かの判定を行うようにしてもよい。
【００４７】
ステップＳ１３において、両装置ともに現在の電池残量が十分であると判定された場合（ステップＳ１３；ＹＥＳ）、ＣＰＵ２１は、音楽データ送信装置１に対して送信を要求する音楽データのデータサイズを通常版のデータサイズに決定する（ステップＳ１４）。
一方、ステップＳ１３において、両装置ともに現在の電池残量が十分でない、すなわち少なくともいずれか一方の装置の電池残量が十分でないと判定された場合（ステップＳ１３；ＮＯ）、ＣＰＵ２１は、音楽データ送信装置１に対して送信を要求する音楽データのデータサイズを小容量版のデータサイズに決定する（ステップＳ１５）。
【００４８】
次いで、ＣＰＵ２１は、ステップＳ１４又はステップＳ１５で決定されたデータサイズの音楽データの送信を音楽データ送信装置１に対して要求する（ステップＳ１６）。具体的には、ＣＰＵ２１は、通信部２６を介して、ステップＳ１４又はステップＳ１５で決定されたデータサイズの音楽データの送信を要求する要求情報を音楽データ送信装置１へ送信する。これにより、上記要求情報を受信した音楽データ送信装置１は、要求されたデータサイズの音楽データを音楽再生装置２へ送信する。
【００４９】
次いで、ＣＰＵ２１は、通信部２６を介して、ステップＳ１６で要求したデータサイズの音楽データを受信する（ステップＳ１７）。続けて、ＣＰＵ２１は、受信した音楽データを再生し（ステップＳ１８）、音楽データ送信制御処理を終了する。
【００５０】
以上のように、本実施形態の音楽再生システム１００は、音楽再生装置２によって、音楽データの再生を指示する指示情報が受信された場合、音楽再生装置２及び音楽データ送信装置１のそれぞれの電池残量を示す電池残量情報を取得し、取得された電池残量情報が示す電池残量に応じて、音楽データのデータサイズを決定し、決定されたデータサイズの音楽データの送信を要求する要求情報を音楽データ送信装置１へ送信したこととなる。
【００５１】
これにより、両装置ともに電池残量が十分である場合は、音楽データ送信装置１に通常版の音楽データを送信させるようにする一方で、少なくともいずれか一方の装置の電池残量が十分でない場合は、音楽データ送信装置１に小容量版の音楽データを送信させるようにすることができる。
したがって、少なくともいずれか一方の装置の電池残量が十分でない場合は、音楽再生装置２へ小容量版の音楽データを送信することによって、当該音楽データの送受信にかかる時間を短くすることができるので、当該音楽データの送受信に電力を割くあまり各装置の稼働に影響を及ぼすといった事態を回避することができるようになる。
【００５２】
［実施形態３］
次に、実施形態３について説明する。なお、上記実施形態１や上記実施形態２と同様の構成要素には同一の符号を付し、その説明を省略する。
実施形態３の音楽再生システム１００では、音楽データ送信装置１と音楽再生装置２のそれぞれの電池残量情報に加えて、音楽データ送信装置１により再生の指示が行われた音楽データを音楽再生装置２が保有しているか否かを考慮して当該音楽データの送信を制御する点で、上記実施形態１や上記実施形態２と異なっている。
【００５３】
＜音楽データ送信制御処理＞
図６は、音楽データ送信装置１により実行される音楽データ送信制御処理を示すフローチャートである。
図６に示すように、先ず、ユーザー操作に基づき、操作部１４を介して再生対象の音楽データを指定する操作がなされると、音楽データ送信装置１のＣＰＵ１１は、当該再生対象の音楽データを指定する（ステップＳ２１）。続けて、ユーザー操作に基づき、操作部１４を介してステップＳ２１で指定された音楽データの再生を指示する操作がなされると、ＣＰＵ１１は、音楽再生装置２に対して当該音楽データの再生を指示する（ステップＳ２２）。具体的には、ＣＰＵ１１は、通信部１６を介して、上記再生を指示する指示情報を音楽再生装置２へ送信する。
【００５４】
次いで、ＣＰＵ１１は、上記再生の指示がなされた音楽データを音楽再生装置２が保有しているか否かを示す保有情報を取得する（ステップＳ２３）。具体的には、ＣＰＵ１１は、通信部１６を介して、音楽再生装置２から上記保有情報を受信することにより、当該保有情報を取得する。ここで、音楽再生装置２は、音楽データ送信装置１より上記指示情報を受信したことを契機として、再生の指示がなされた音楽データの保有の有無を確認し（ステップＳ３２；後述）、上記保有情報を音楽データ送信装置１へ送信する（ステップＳ３３；後述）。
【００５５】
次いで、ＣＰＵ１１は、両装置（音楽データ送信装置１及び音楽再生装置２）の現在の電池残量を示す電池残量情報を取得する（ステップＳ２４）。具体的には、ＣＰＵ１１は、通信部１６を介して、音楽再生装置２から当該装置の現在の電池残量情報を受信することにより、音楽再生装置２の現在の電池残量情報を取得する。ここで、音楽再生装置２は、音楽データ送信装置１より上記指示情報を受信したことを契機として、自装置の現在の電池残量を計測し電池残量情報を生成するとともに、当該電池残量情報を音楽データ送信装置１へ送信する（ステップＳ３３；後述）。また、ＣＰＵ１１は、音楽再生装置２へ上記指示情報を送信した際に、自装置の現在の電池残量を計測し電池残量情報を取得する。
【００５６】
次いで、ＣＰＵ１１は、ステップＳ２４で取得した電池残量情報に基づき、両装置ともに現在の電池残量が十分であるか否かを判定する（ステップＳ２５）。ここで、現在の電池残量が所定の閾値以上である場合、当該電池残量が十分であると判定される一方で、現在の電池残量が所定の閾値以上でない、すなわち所定の閾値未満である場合、当該電池残量が十分でないと判定される。なお、電池残量が十分であるか否かの判定方法は上記の方法に限定されるものではない。例えば、音楽データ送信装置１と音楽再生装置２のいずれの場合も、各装置の電池容量に対する電池残量の割合を判定基準として電池残量が十分であるか否かの判定を行うようにしてもよい。
【００５７】
ステップＳ２５において、両装置ともに現在の電池残量が十分であると判定された場合（ステップＳ２５；ＹＥＳ）、ＣＰＵ１１は、ステップＳ２３で取得した保有情報に基づき、音楽データ送信装置１より上記再生の指示がなされた音楽データ（以下、再生指示対象の音楽データと称す）を音楽再生装置２が保有しているか否かを判定する（ステップＳ２６）。
【００５８】
ステップＳ２６において、再生指示対象の音楽データを音楽再生装置２が保有していると判定された場合（ステップＳ２６；ＹＥＳ）、ＣＰＵ１１は、当該音楽データが小容量版の音楽データであるか否かを判定する（ステップＳ２７）。
【００５９】
ステップＳ２７において、再生指示対象の音楽データが小容量版の音楽データであると判定された場合（ステップＳ２７；ＹＥＳ）、ＣＰＵ１１は、当該小容量版よりもデータサイズが大きい通常版の音楽データを音楽再生装置２へ送信し（ステップＳ２８）、音楽データ送信制御処理を終了する。これにより、音楽データ送信装置１より通常版の音楽データを受信した音楽再生装置２は、再生指示対象の音楽データとして当該通常版の音楽データを再生可能となる。
一方、ステップＳ２７において、再生指示対象の音楽データが小容量版の音楽データでない、すなわち通常版の音楽データを既に保有していると判定された場合（ステップＳ２７；ＮＯ）、ＣＰＵ１１は、ステップＳ２８をスキップして、音楽データ送信制御処理を終了する。
【００６０】
また、ステップＳ２６において、再生指示対象の音楽データを音楽再生装置２が保有していないと判定された場合（ステップＳ２６；ＮＯ）、ＣＰＵ１１は、ステップＳ２７をスキップして、上記小容量版よりもデータサイズが大きい通常版の音楽データを音楽再生装置２へ送信し（ステップＳ２８）、音楽データ送信制御処理を終了する。これにより、音楽データ送信装置１より通常版の音楽データを受信した音楽再生装置２は、再生指示対象の音楽データとして当該通常版の音楽データを再生可能となる。
【００６１】
また、ステップＳ２５において、両装置ともに現在の電池残量が十分でない、すなわち少なくともいずれか一方の装置の電池残量が十分でないと判定された場合（ステップＳ２５；ＮＯ）、ＣＰＵ１１は、ステップＳ２３で取得した保有情報に基づき、再生指示対象の音楽データを音楽再生装置２が保有しているか否かを判定する（ステップＳ２９）。
【００６２】
ステップＳ２９において、再生指示対象の音楽データを音楽再生装置２が保有していると判定された場合（ステップＳ２９；ＹＥＳ）、ＣＰＵ１１は、ステップＳ３０をスキップして、音楽データ送信制御処理を終了する。
一方、ステップＳ２９において、再生指示対象の音楽データを音楽再生装置２が保有していないと判定された場合（ステップＳ２９；ＮＯ）、ＣＰＵ１１は、小容量版の音楽データを音楽再生装置２へ送信し（ステップＳ３０）、音楽データ送信制御処理を終了する。これにより、音楽データ送信装置１より小容量版の音楽データを受信した音楽再生装置２は、再生指示対象の音楽データとして当該小容量版の音楽データを再生可能となる。
【００６３】
＜音楽データ再生処理＞
図７は、音楽再生装置２により実行される音楽データ再生処理を示すフローチャートである。
図７に示すように、先ず、音楽再生装置２のＣＰＵ２１は、先ず、通信部２６を介して、音楽データ送信装置１より音楽データの再生を指示する指示情報を受信したか否かを判定する（ステップＳ３１）。
【００６４】
ステップＳ３１において、指示情報を受信していないと判定された場合（ステップＳ１１；ＮＯ）、ＣＰＵ２１は、当該指示情報を受信するまでの間、ステップＳ３１の判定処理を繰り返し行う。
一方、ステップＳ３１において、指示情報を受信したと判定された場合（ステップＳ３１；ＹＥＳ）、ＣＰＵ２１は、再生指示対象の音楽データの保有の有無を確認する（ステップＳ３２）。具体的には、ＣＰＵ２１は、記憶部２３に再生指示対象の音楽データが記憶されているか否かを確認する。そして、ＣＰＵ２１は、記憶部２３に再生指示対象の音楽データが記憶されている場合には、当該再生指示対象の音楽データを保有していることを示す情報、及び、当該再生指示対象の音楽データのデータサイズを示すデータサイズ情報を、保有情報として生成する。一方、ＣＰＵ２１は、記憶部２３に再生指示対象の音楽データが記憶されていない場合には、当該再生指示対象の音楽データを保有していないことを示す情報を保有情報として生成する。また、ＣＰＵ２１は、音楽データ送信装置１より上記指示情報を受信したことを契機として、自装置の現在の電池残量を計測し電池残量情報を生成する。
【００６５】
次いで、ＣＰＵ２１は、生成された保有情報及び自装置の電池残量情報を音楽データ送信装置１へ送信する（ステップＳ３３）。
【００６６】
次いで、ＣＰＵ２１は、通信部２６を介して、音楽データ送信装置１より再生指示対象の音楽データを受信したか否かを判定する（ステップＳ３４）。
【００６７】
ステップＳ３４において、再生指示対象の音楽データを受信したと判定された場合（ステップＳ３４；ＹＥＳ）、ＣＰＵ２１は、受信した音楽データ（再生指示対象の音楽データ）を再生し（ステップＳ３５）、音楽データ再生処理を終了する。
一方、ステップＳ３４において、再生指示対象の音楽データを受信していないと判定された場合（ステップＳ３４；ＮＯ）、ＣＰＵ２１は、既に保有している音楽データ（再生指示対象の音楽データ）を再生し（ステップＳ３６）、音楽データ再生処理を終了する。
【００６８】
以上のように、本実施形態の音楽再生システム１００は、音楽データ送信装置１によって、音楽再生装置２による再生指示対象の音楽データの保有情報を取得し、音楽データ送信装置１及び音楽再生装置２のそれぞれの電池残量情報を取得し、取得された保有情報が示す再生指示対象の音楽データの保有の有無、及び、電池残量情報が示す電池残量に応じて、再生指示対象の音楽データの送信を制御したこととなる。また、音楽再生装置２によって、再生指示対象の音楽データの保有（記憶）の有無を判別し、音楽再生装置２の電池残量を計測し、再生指示対象の音楽データの保有の有無の判別結果を示す判別結果情報（保有情報）、及び、自装置の電池残量情報（計測結果情報）を音楽データ送信装置１へ送信したこととなる。
【００６９】
これにより、音楽再生装置２による再生指示対象の音楽データの保有の有無、及び、両装置の電池残量に応じて最適な音楽データを送受信することができるので、音楽データの送受信に電力を割くあまり各装置の稼働に影響を及ぼすといった事態を回避することができるようになる。
【００７０】
また、本実施形態の音楽再生システム１００は、音楽データ送信装置１によって、音楽データ送信装置１と音楽再生装置２のうち少なくともいずれか一方の電池残量が所定の閾値未満であり、かつ、音楽再生装置２が再生指示対象の音楽データを保有していない場合、小容量版の音楽データを音楽再生装置２へ送信するように制御するので、当該音楽データの送受信にかかる時間を短くすることができ、音楽データの送受信に電力を割くあまり各装置の稼働に影響を及ぼすといった事態を回避することができるようになる。
【００７１】
また、本実施形態の音楽再生システム１００は、音楽データ送信装置１によって、音楽データ送信装置１と音楽再生装置２の両方の電池残量が所定の閾値以上であり、音楽再生装置２が再生指示対象の音楽データを保有しており、かつ、当該音楽データが小容量版の音楽データである場合、通常版の音楽データを音楽再生装置２へ送信するように制御したこととなる。
したがって、音楽データ送信装置１と音楽再生装置２の両方の電池残量が十分にある場合は、通常版の音楽データを音楽データ送信装置１から音楽再生装置２へ送信しても各装置の稼働に影響を及ぼすことがないため、音楽再生装置２が再生指示対象の音楽データを保有しており、かつ、当該音楽データが小容量版の音楽データである場合は、当該通常版の音楽データを音楽データ送信装置１から音楽再生装置２へ送信することにより、音楽再生装置２において音質の良い音楽データを再生させることができるようになる。
【００７２】
また、本実施形態の音楽再生システム１００は、音楽データ送信装置１によって、音楽データ送信装置１と音楽再生装置２の両方の電池残量が所定の閾値以上であり、かつ、音楽再生装置２が再生指示対象の音楽データを保有していない場合、通常版の音楽データを音楽再生装置２へ送信するように制御したこととなる。
したがって、音楽データ送信装置１と音楽再生装置２の両方の電池残量が十分にある場合は、通常版の音楽データを音楽データ送信装置１から音楽再生装置２へ送信しても各装置の稼働に影響を及ぼすことがないため、音楽再生装置２が再生指示対象の音楽データを保有していない場合は、当該通常版の音楽データを音楽データ送信装置１から音楽再生装置２へ送信することにより、音楽再生装置２において音質の良い音楽データを再生させることができるようになる。
【００７３】
また、本実施形態の音楽再生システム１００は、音楽データ送信装置１によって、音楽データ送信装置１と音楽再生装置２のうち少なくともいずれか一方の電池残量が所定の閾値未満であり、かつ、音楽再生装置２が再生指示対象の音楽データを保有している場合、当該再生指示対象の音楽データを音楽再生装置２へ送信しないように制御したこととなる。
したがって、音楽データ送信装置１と音楽再生装置２のうち少なくともいずれか一方の電池残量が十分ではなく、音楽再生装置２が再生指示対象の音楽データを保有している場合は、当該再生指示対象の音楽データを音楽再生装置２へ送信せず、音楽再生装置２が既に保有している再生指示対象の音楽データを再生させるようにすることができるので、音楽データの送受信に電力を割くあまり各装置の稼働に影響を及ぼすといった事態を回避することができるようになる。
【００７４】
以上、本発明の実施形態について説明したが、本発明は、かかる実施形態に限定されず、その要旨を逸脱しない範囲で、種々変形が可能であることは言うまでもない。
【００７５】
例えば、上記実施形態１〜実施形態３では、音楽データ送信装置１と音楽再生装置２のそれぞれの電池残量を考慮して音楽データ送信装置１から音楽再生装置２への再生指示対象の音楽データの送信を制御したが、例えば、音楽データ送信装置１と音楽再生装置２のいずれか一方の装置のみの電池残量を考慮して音楽データ送信装置１から音楽再生装置２への再生指示対象の音楽データの送信を制御するようにしても良い。
【００７６】
また、上記実施形態１〜実施形態３では、音楽データ送信装置１が記憶部２３に通常版の音楽データと小容量版の音楽データを記憶するようにしたが、例えば、音楽データ送信装置１が生成部（生成手段）を更に備え、当該生成部が、外部機器より取得された元の音楽データに基づいて、それぞれデータサイズが異なる通常版の音楽データと小容量版の音楽データとを生成して、各音楽データを記憶部２３に記憶させるようにしても良い。また、データサイズが異なる音楽データは、通常版の音楽データと小容量版の音楽データの２種類の音楽データに限定されるものではなく、例えば、通常版の音楽データと、小容量版の音楽データのデータサイズを異ならせた複数の小容量版の音楽データを生成及び／又は記憶するようにしても良い。
【００７７】
また、上記実施形態２では、音楽再生装置２が、音楽データ送信装置１と音楽再生装置２のそれぞれの電池残量情報を考慮して再生指示対象の音楽データの送信を制御するようにしたが、例えば、当該電池残量情報は考慮せずに、音楽再生装置２が当該再生指示対象の音楽データを保有しているか否かに応じて、当該音楽データの送信を制御するようにしても良い。具体的には、音楽再生装置２が再生指示対象の音楽データを保有していない場合は、音楽データ送信装置１に対して音楽データ送信装置１から当該音楽データを音楽再生装置２へ送信する旨を指示する信号（要求情報）を送信し、音楽再生装置２が再生指示対象の音楽データを保有している場合は、音楽データ送信装置１に対して音楽データ送信装置１から当該音楽データを音楽再生装置２へ送信しないようにする旨を指示する信号（指示情報）を送信するように制御する。これにより、不要な音楽データの送受信を行う可能性を省くことができるので、各装置の稼働に影響を及ぼすといった事態を回避することができるようになる。
【００７８】
また、上記実施形態３では、音声再生処理（図７参照）において、ＣＰＵ２１は、音楽データ送信装置１より指示情報を受信したことを契機として、記憶部２３に再生指示対象の音楽データが記憶されているか否かを確認し、保有情報を音楽データ送信装置１へ送信するようにしたが、例えば、音楽再生装置２が保有する音楽データの一覧情報を音楽データ送信装置１へ定期的に送信するようにしても良い。
【００７９】
以上、本発明の実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８０】
〔付記〕
＜請求項１＞
音楽再生装置へ音楽データを送信する音楽データ送信装置であって、
前記音楽データに関してデータサイズの異なる音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に応じて、前記音楽データを前記音楽再生装置へ送信する送信手段と、
を備えたことを特徴とする音楽データ送信装置。
＜請求項２＞
前記取得手段によって取得された前記電池残量情報が示す電池残量に応じて、前記音楽データのデータサイズを決定する決定手段を備え、
前記送信手段は、前記決定手段によって決定された前記データサイズの音楽データを前記音楽再生装置へ送信する、
ことを特徴とする請求項１に記載の音楽データ送信装置。
＜請求項３＞
音楽再生装置へ音楽データを送信する音楽データ送信装置であって、
前記音楽データに関して同一の曲のデータサイズの異なる音楽データ、又は、異なる曲の音楽データをそれぞれ生成及び／又は記憶する生成手段及び／又は記憶手段と、
前記音楽データ送信装置及び／又は前記音楽再生装置の電池残量を示す電池残量情報を取得する取得手段と、
前記取得手段によって取得された前記電池残量情報が示す電池残量に応じて、前記音楽データのデータサイズを決定する決定手段と、
前記決定手段によって決定された前記データサイズの音楽データを前記音楽再生装置へ送信する送信手段と、
を備えたことを特徴とする音楽データ送信装置。
＜請求項４＞
音楽データ送信装置から送信された音楽データを再生する音楽再生装置であって、
前記音楽データ送信装置から送信された情報を受信する受信手段と、
前記受信手段によって前記音楽データの再生を指示する指示情報が受信された場合、前記音楽再生装置及び／又は前記音楽データ送信装置の電池残量を示す電池残量情報を取得する取得手段と、
前記取得手段によって取得された前記電池残量情報が示す電池残量に応じて、前記音楽データの送信を要求する要求情報を前記音楽データ送信装置へ送信する送信手段と、
を備えることを特徴とする音楽再生装置。
＜請求項５＞
前記取得手段によって取得された前記電池残量情報が示す電池残量に応じて、前記音楽データのデータサイズを決定する決定手段を備え、
前記送信手段は、前記決定手段によって決定された前記データサイズの音楽データの前記要求情報を前記音楽データ送信装置へ送信する、
ことを特徴とする請求項４に記載の音楽再生装置。
＜請求項６＞
音楽データ送信装置から送信される音楽データを再生する音楽再生装置であって、
自装置が再生指示対象の音楽データを保有していない場合には、当該音楽データの送信を要求する要求情報を前記音楽データ送信装置へ送信する一方で、自装置が当該音楽データを保有している場合には、当該音楽データを送信しないようにする旨の指示情報を前記音楽データ送信装置へ送信する送信手段を備えることを特徴とする音楽再生装置。
＜請求項７＞
音楽再生装置へ音楽データを送信する音楽データ送信装置であって、
前記音楽再生装置による前記音楽データの保有の有無を示す保有情報を取得する第１の取得手段と、
前記第１の取得手段によって取得された前記保有情報が示す前記音楽データの保有の有無に応じて、前記音楽データの送信を制御する送信制御手段と、
を備えることを特徴とする音楽データ送信装置。
＜請求項８＞
前記送信制御手段は、前記第１の取得手段によって取得された前記保有情報が前記音楽データを保有していることを示す情報である場合には、前記音楽データの送信を行わない、
ことを特徴とする請求項７に記載の音楽データ送信装置。
＜請求項９＞
前記送信制御手段は、前記第１の取得手段によって取得された前記保有情報が前記音楽データを保有していないことを示す情報である場合には、前記音楽データの送信を行う、
ことを特徴とする請求項７に記載の音楽データ送信装置。
＜請求項１０＞
前記音楽データ送信装置及び／又は前記音楽再生装置の電池残量を示す電池残量情報を取得する第２の取得手段を備え、
前記送信制御手段は、前記第１の取得手段によって取得された前記保有情報が示す前記音楽データの保有の有無、及び、前記第２の取得手段によって取得された前記電池残量情報が示す電池残量に応じて、前記音楽データの送信を制御する、
ことを特徴とする請求項７〜９のいずれか一項に記載の音楽データ送信装置。
＜請求項１１＞
前記音楽データに関してデータサイズの異なる音楽データをそれぞれ生成及び／又は記憶する生成手段及び／又は記憶手段を更に備え、
前記第１の取得手段は、更に、前記音楽再生装置が前記音楽データを保有している場合、当該音楽データのデータサイズを示すデータサイズ情報を取得し、
前記送信制御手段は、
前記音楽データ送信装置と前記音楽再生装置のうち少なくともいずれか一方の電池残量が所定の閾値未満であり、かつ、前記音楽再生装置が前記音楽データを保有していない場合、前記生成手段及び／又は前記記憶手段によって生成及び／又は記憶された通常のデータサイズよりも小さい小容量版の音楽データを前記音楽再生装置へ送信するように制御することを特徴とする請求項１０に記載の音楽データ送信装置。
＜請求項１２＞
前記送信制御手段は、
前記音楽データ送信装置と前記音楽再生装置の両方の電池残量が所定の閾値以上であり、前記音楽再生装置が前記音楽データを保有しており、かつ、当該音楽データが前記小容量版の音楽データである場合、前記生成手段及び／又は前記記憶手段によって生成及び／又は記憶された前記小容量版の音楽データよりもデータサイズが大きい音楽データを前記音楽再生装置へ送信するように制御することを特徴とする請求項１１に記載の音楽データ送信装置。
＜請求項１３＞
前記送信制御手段は、
前記音楽データ送信装置と前記音楽再生装置の両方の電池残量が所定の閾値以上であり、かつ、前記音楽再生装置が前記音楽データを保有していない場合、前記生成手段及び／又は前記記憶手段によって生成及び／又は記憶された前記小容量版の音楽データよりもデータサイズが大きい音楽データを前記音楽再生装置へ送信するように制御することを特徴とする請求項１１又は１２に記載の音楽データ送信装置。
＜請求項１４＞
前記送信制御手段は、
前記音楽データ送信装置と前記音楽再生装置のうち少なくともいずれか一方の電池残量が所定の閾値未満であり、かつ、前記音楽再生装置が前記音楽データを保有している場合、前記生成手段及び／又は前記記憶手段によって生成及び／又は記憶された音楽データを前記音楽再生装置へ送信しないように制御することを特徴とする請求項１１〜１３のいずれか一項に記載の音楽データ送信装置。
＜請求項１５＞
前記小容量版の音楽データは、少なくとも音楽データのサンプリング周波数及び／又はビットレートを変更し音質を落とすことによってデータサイズを小さくした音楽データであることを特徴とする請求項１１〜１４のいずれか一項に記載の音楽データ送信装置。
＜請求項１６＞
前記保有情報及び前記電池残量情報の生成を指示する指示情報を前記音楽再生装置に対して送信する送信手段を備え、
前記第１の取得手段は、前記指示情報の送信を契機として前記音楽再生装置によって生成された前記保有情報を取得し、
前記第２の取得手段は、前記指示情報の送信を契機として前記音楽再生装置によって生成された前記電池残量情報を取得する、
ことを特徴とする請求項１０〜１５のいずれか一項に記載の音楽データ送信装置。
＜請求項１７＞
音楽再生装置と音楽データ送信装置とを備えた音楽再生システムであって、
前記音楽再生装置は、
音楽データを記憶可能な音楽再生装置側記憶手段と、
前記音楽再生装置側記憶手段によるユーザー所望の音楽データの記憶の有無を判別する音楽再生装置側判別手段と、
前記音楽再生装置の電池残量を計測する音楽再生装置側計測手段と、
前記音楽再生装置側判別手段による判別結果を示す判別結果情報、及び、前記音楽再生装置側計測手段による計測結果を示す計測結果情報を外部へ送信する音楽再生装置側送信手段と、
を備え、
前記音楽データ送信装置は、
前記ユーザー所望の音楽データを生成及び／又は記憶する音楽データ送信装置側生成手段及び／又は音楽データ送信装置側記憶手段と、
前記判別結果情報及び前記計測結果情報を受信する音楽データ送信装置側受信手段と、
前記音楽データ送信装置の電池残量を計測する音楽データ送信装置側計測手段と、
前記音楽データ送信装置側受信手段によって受信された前記判別結果情報が示す前記ユーザー所望の音楽データの記憶の有無、及び、前記計測結果情報が示す前記音楽再生装置の電池残量、並びに、前記音楽データ送信装置側計測手段によって計測された前記音楽データ送信装置の電池残量に応じて、前記ユーザー所望の音楽データの前記音楽再生装置への送信を制御する音楽データ送信装置側送信制御手段と、
を備えることを特徴とする音楽再生システム。
＜請求項１８＞
音楽再生装置へ音楽データを送信する音楽データ送信装置のコンピュータを、
前記音楽データに関してデータサイズの異なる音楽データをそれぞれ生成及び／又は記憶する生成手段及び／又は記憶手段、
前記音楽データ送信装置及び／又は前記音楽再生装置の電池残量を示す電池残量情報を取得する取得手段、
前記取得手段によって取得された前記電池残量情報が示す電池残量に応じて、前記音楽データを前記音楽再生装置へ送信する送信手段、
として機能させることを特徴とするプログラム。
＜請求項１９＞
音楽データ送信装置から送信された音楽データを再生する音楽再生装置のコンピュータを、
前記音楽データ送信装置から送信された情報を受信する受信手段、
前記受信手段によって前記音楽データの再生を指示する指示情報が受信された場合、前記音楽再生装置及び／又は前記音楽データ送信装置の電池残量を示す電池残量情報を取得する取得手段、
前記取得手段によって取得された前記電池残量情報が示す電池残量に応じて、前記音楽データの送信を要求する要求情報を前記音楽データ送信装置へ送信する送信手段
として機能させることを特徴とするプログラム。
＜請求項２０＞
音楽再生装置へ音楽データを送信する音楽データ送信装置のコンピュータを、
前記音楽再生装置による前記音楽データの保有の有無を示す保有情報を取得する取得手段、
前記取得手段によって取得された前記保有情報が示す前記音楽データの保有の有無に応じて、前記音楽データの送信を制御する送信制御手段、
として機能させることを特徴とするプログラム。
【符号の説明】
【００８１】
１００    音楽再生システム
１        音楽データ送信装置
１１      ＣＰＵ（取得手段、決定手段、送信手段、第１の取得手段、第２の取得手段、送信制御手段、音楽データ送信装置側受信手段、音楽データ送信装置側計測手段、音楽データ送信装置側送信制御手段）
１３      記憶部（記憶手段、音楽データ送信装置側記憶手段）
１６      通信部（送信手段、音楽データ送信装置側受信手段）
２        音楽再生装置
２１      ＣＰＵ（取得手段、決定手段、送信手段、音楽再生装置側判別手段、音楽再生装置側計測手段、音楽再生装置側送信手段）
２３      記憶部（音楽再生装置側記憶手段）
２６      通信部（受信手段、送信手段、音楽再生装置側送信手段）
【図１】
2020056961.tif 000003
【図２】
2020056961.tif 000004
【図３】
2020056961.tif 000005
【図４】
2020056961.tif 000006
【図５】
2020056961.tif 000007
【図６】
2020056961.tif 000008
【図７】
2020056961.tif 000009